(57)【要約】【課題】人体検出用のセンサを別途設けることなく、ユーザの在室状況を判断することができる技術を提供する。【解決手段】暖房装置は、加熱部により室内の空気を加熱して室内を暖房する。暖房装置は、室内の空気の温度を検知する検知部と、ユーザに対する所定の報知を実行可能な報知部と、制御部と、を備えており、制御部は、加熱部の作動開始後、検知部により検知される温度が低下しない状態が所定期間継続した場合に、所定の報知を報知部に実行させる。【選択図】図３
2019007717.tif 000002
【特許請求の範囲】
【請求項１】
加熱部により室内の空気を加熱して室内を暖房する暖房装置であって、
室内の空気の温度を検知する検知部と、
ユーザに対する所定の報知を実行可能な報知部と、
制御部と、を備えており、
制御部は、加熱部の作動開始後、検知部により検知される温度が低下しない状態が所定期間継続した場合に、所定の報知を報知部に実行させることを特徴とする暖房装置。
【請求項２】
暖房装置は、操作部をさらに備えており、
所定の報知は、ユーザに対して操作部へのユーザ操作の実行を促す内容を含んでおり、
制御部は、所定の報知を報知部に実行させた後、ユーザ操作が実行されない状態が所定期間継続した場合に、加熱部を停止させることを特徴とする、請求項１の暖房装置。
【請求項３】
所定の報知は、ユーザに対して室内の換気を促す内容を含んでおり、
制御部は、所定の報知を報知部に実行させた後、検知部により検知される温度が低下しない状態が所定期間継続した場合に、加熱部を停止させることを特徴とする、請求項１または２の暖房装置。
【請求項４】
暖房装置は、加熱部の動作状態を示す動作情報を端末装置に対して送信可能な送信部をさらに備えており、
制御部は、所定の報知を報知部に実行させた後、加熱部を停止させた場合に、加熱部が自動で停止されたことを示す動作情報を端末装置に送信することを送信部に実行させることを特徴とする、請求項２または３の暖房装置。
【発明の詳細な説明】
【技術分野】
【０００１】
本明細書に開示の技術は、暖房装置に関する。
【背景技術】
【０００２】
特許文献１には、人体検出手段を備える暖房装置が開示されている。この暖房装置では、暖房装置の近傍に人が存在するか否か（すなわち、室内に人が存在するか否か）を人体検出手段によって検知する。そして、人体検出手段によって検知した、人の存否を示す情報を端末装置に通知する。特許文献１の技術によれば、人の存否を示す情報を端末装置に通知することで、例えば暖房装置の運転を停止することなく人が室内からいなくなった場合に、その状況を端末装置に通知して、対処を促すことができる。
【先行技術文献】
【特許文献】
【０００３】
【特許文献１】特開２０１５−１２１３７４号公報
【発明の概要】
【発明が解決しようとする課題】
【０００４】
特許文献１の技術では、人体検出手段として、赤外線センサや画像センサが用いられている。この場合、当該センサを暖房装置に別途設ける必要があり、製造工数や製造コストが嵩むという問題があった。本明細書では、暖房装置に人体検出用のセンサを別途設けることなく、人の在室状況を判断することができる技術を提供する。
【課題を解決するための手段】
【０００５】
本明細書が開示する暖房装置は、加熱部により室内の空気を加熱して室内を暖房する。暖房装置は、室内の空気の温度を検知する検知部と、ユーザに対する所定の報知を実行可能な報知部と、制御部と、を備える。制御部は、加熱部の作動開始後、検知部により検知される温度が低下しない状態が所定期間継続した場合に、所定の報知を報知部に実行させる。
【０００６】
暖房装置が室内を暖房している間は、外部から寒冷な空気が流入しない限り、室内の空気の温度はあまり低下することはない。しかしながら、室外から室内に寒冷な空気が流入すると、室内の空気の温度は低下する。人が室内外へ出入りした場合や室内の換気を行った場合、室内には室外から寒冷な空気が流入する。すなわち、加熱部が作動開始した後、室内の空気の温度が低下しない状態が所定期間継続した場合には、室内外への人の出入りや室内の換気が長時間行われておらず、室内に人が存在していない可能性が高い。このような知見に基づき、上記の暖房装置では、検知部により検知される室内の空気の温度の変化によって、室内に人が存在しているか否かを判断する。そして、室内に人が存在しないと判断した場合（すなわち、加熱部の作動開始後、検知部により検知される温度が低下しない状態が所定期間継続した場合）に、所定の報知を実行する。このように、上記の暖房装置によれば、室内の空気の温度を検知する検知部を人体検出に兼用することで、別途センサを設けることなく、人の在室状況を判断して、ユーザに報知することができる。
【０００７】
暖房装置は、操作部をさらに備えてもよい。所定の報知は、ユーザに対して操作部へのユーザ操作の実行を促す内容を含んでもよく、制御部は、所定の報知を報知部に実行させた後、ユーザ操作が実行されない状態が所定期間継続した場合に、加熱部を停止させてもよい。
【０００８】
上記の構成によると、所定の報知を実行した後（すなわち、人が室内に存在しないと一旦判断した後）であっても、操作部に対するユーザ操作の実行をもって、人が室内に存在すると判断することができる。一方で、ユーザ操作が実行されない状態が所定期間継続する場合には、人が依然として室内に存在しないと判断することができる。このように、上記の暖房装置によれば、人の存否をより確実に判断することができる。また、所定の報知を実行した後に、ユーザ操作が実行されない状態が所定期間継続する場合、安全を考慮して加熱部を停止させた方がよい。このように、上記の暖房装置によれば、安全性を確保することができる。
【０００９】
所定の報知は、ユーザに対して室内の換気を促す内容を含んでもよく、制御部は、所定の報知を報知部に実行させた後、検知部により検知される温度が低下しない状態が所定期間継続した場合に、加熱部を停止させてもよい。
【００１０】
所定の報知に起因してユーザが室内の換気を行った場合、寒冷な外気の流入によって室内の空気の温度が低下する。このように、上記の構成によると、所定の報知を実行した後（すなわち、人が室内に存在しないと一旦判断した後）であっても、その後の室内の空気の温度の低下をもって、人が室内に存在すると判断することができる。一方で、室内の空気の温度が低下しない状態が所定期間継続する場合には、人が依然として室内に存在しないと判断することができる。このように、上記の暖房装置によれば、人の存否をより確実に判断することができる。また、所定の報知を実行した後に、室内の空気の温度が低下しない状態が所定期間継続する場合、安全を考慮して加熱部を停止させた方がよい。このように、上記の暖房装置によれば、安全性を確保することができる。
【００１１】
暖房装置は、加熱部の動作状態を示す動作情報を端末装置に対して送信可能な送信部をさらに備えてもよい。制御部は、所定の報知を報知部に実行させた後、加熱部を停止させた場合に、加熱部が自動で停止されたことを示す動作情報を端末装置に送信することを送信部に実行させてもよい。
【００１２】
上記の構成によると、端末装置のユーザは、加熱部が自動で停止されたこと（すなわち、暖房装置の運転が自動で停止されたこと）を知ることができる。また、加熱部の動作情報を暖房装置から受信した際には、既に暖房装置の運転が自動で停止されている。すなわち、端末装置のユーザは、暖房装置の運転の停止を事後的に知ることができ、暖房装置に対する消火操作を実行する必要がないため、ユーザの利便性が向上する。
【図面の簡単な説明】
【００１３】
【図１】実施例１，２のガスファンヒータ２の構成を示す縦断面図である。
【図２】実施例１，２のガスファンヒータ２を含む暖房システムを示すブロック図である。
【図３】実施例１のガスファンヒータ２が実行する処理のフローチャートである。
【図４】実施例２のガスファンヒータ２が実行する処理のフローチャートである。
【発明を実施するための形態】
【００１４】
（実施例１）
図１を参照しながら、暖房装置の一実施形態に係るガスファンヒータ２について説明する。ガスファンヒータ２は、背面の給気口４を通して空気を吸い込み、吸い込んだ空気を燃焼用空気として燃料ガスを燃焼させ、燃料ガスの燃焼によって加熱された空気を前面の吹出口６から吹き出すことで室内を暖房する。
【００１５】
ガスファンヒータ２は、燃料ガスを供給するガス供給管８と、ガス供給管８からの燃料ガスを燃焼させるバーナ１０（加熱部）と、給気口４から室内の空気を吸い込み、加熱された空気を吹出口６から室内に吹き出す送風ファン１２と、ガスファンヒータ２の運転を制御する制御部１４と、操作・報知・送信部１６と、これらを収容するケーシング１８を備えている。操作・報知・送信部１６は、ユーザがガスファンヒータ２の運転を操作する操作部１７、ユーザに対する所定の報知を実行する報知部５０、及びガスファンヒータ２に関する各種情報を端末装置２００（後述）に送信する送信部６０を備えている。
【００１６】
給気口４は、ケーシング１８の背面の上方側に形成されている。吹出口６は、ケーシング１８の前面の下方側に形成されている。ケーシング１８の内部には、給気口４から流入した空気の一部をバーナ１０に燃焼用空気として供給し、残りをバーナ１０の燃焼ガスと混合させた状態で吹出口６に導く内部空気通路２０が形成されている。送風ファン１２は、内部空気通路２０内の吹出口６の近傍に配置されている。なお、給気口４には、塵埃等の侵入を抑制するエアフィルタ２２が設けられている。
【００１７】
ガス供給管８には、ガス供給管８を開閉する電磁式の開閉弁２４と、ガス供給管８を流れるガスの流量を調整する比例弁２６が設けられている。ガス供給管８には、ガスファンヒータ２の外部から都市ガス（例えば１３Ａ等の、メタンガス（ＣＨ４）を主成分とするガス）が供給される。バーナ１０には、その炎口の上方にイグナイタ２８が設けられている。
【００１８】
ケーシング１８の背面には、検知部３０が設けられている。検知部３０は、給気口４からケーシング１８内に吸い込まれる室内の空気の温度を検知する。検知部３０としては、例えば、熱電対やサーミスタ等の各種形式のセンサを用いることができる。
【００１９】
続いて、図２を参照しながら、本実施例に係るガスファンヒータ２を含む暖房システム３について説明する。暖房システム３は、ガスファンヒータ２と、端末装置２００と、を備える。ガスファンヒータ２と端末装置２００とは、インターネット１１０を介して通信可能である。
【００２０】
図２に示すように、操作部１７は、ユーザがガスファンヒータ２の運転開始及び運転停止を指示する運転スイッチ３４、ユーザに異常の発生を報知する異常報知ブザー３６、暖房目標温度を設定する温度設定部３８、暖房目標温度や室内温度等の各種情報を表示する表示部４０、ユーザがガスファンヒータ２の運転の継続を指示する延長スイッチ４１などを備えている。運転スイッチ３４は、押し操作が繰り返される毎に、制御部１４に対して運転開始と運転停止が交互に指示されるように構成されている。
【００２１】
制御部１４は、送風ファン１２、開閉弁２４、比例弁２６、イグナイタ２８などの動作を制御する。ユーザが運転スイッチ３４を操作して、ガスファンヒータ２の運転開始が指示されると、制御部１４は、送風ファン１２を回転させて、バーナ１０に燃焼用空気を供給する。さらに、制御部１４は、開閉弁２４を開いてガス供給管８からバーナ１０にガスを供給し、イグナイタ２８で点火することで、バーナ１０の燃焼を開始させる。バーナ１０の燃焼中は、検知部３０で検知される室内の空気の温度が温度設定部３８で設定された暖房目標温度に速やかに近づくように、制御部１４が比例弁２６の開度と送風ファン１２の回転数を調整する。ガスファンヒータ２の運転中にユーザが運転スイッチ３４を操作して、ガスファンヒータ２の運転停止が指示されると、制御部１４は、開閉弁２４を閉じてガス供給管８からバーナ１０へのガスの供給を遮断することで、バーナ１０を消火させる。また、制御部１４は、送風ファン１２の回転を停止させる。
【００２２】
報知部５０は、ユーザに対する所定の報知を実行する。報知部５０は、ユーザにガスファンヒータ２の運転を継続させる操作を促す延長ランプ５２、ユーザに室内の換気を促す換気ランプ５４などを備えている。報知部５０は、制御部１４と通信可能である。
【００２３】
送信部６０は、インターネット１１０にアクセス可能である。送信部６０は、インターネット１１０を介して、バーナ１０の動作状態を示す動作情報を端末装置２００に送信可能である。
【００２４】
端末装置２００は、携帯電話、スマートフォン等の可搬型の端末装置である。端末装置２００は、表示部２０２と、端末コントローラ２１０と、を備える。表示部２０２は、様々な情報を表示するためのディスプレイであり、いわゆるタッチパネル（即ち、操作部）としても機能する。端末コントローラ２１０は、端末装置２００の動作を制御する。また、端末コントローラ２１０は、メモリ２１２を備える。メモリ２１２には、暖房アプリ２１４が格納されている。暖房アプリ２１４は、例えば、インターネット１１０上のサーバ（不図示）から端末装置２００にインストールされる。暖房アプリ２１４は、端末装置２００とガスファンヒータ２との間で様々な情報の通信を実行させるためのアプリケーションである。
【００２５】
制御部１４は、ガスファンヒータ２が運転を開始すると、図３に示すユーザ存否検知処理を実行する。制御部１４は、ユーザが運転スイッチ３４を操作して、ガスファンヒータ２の運転開始が指示されると、図３の処理を開始する。なお、制御部１４は、図３の処理のために、メモリ４２と、タイマ４４を備えている。
【００２６】
Ｓ１０において、制御部１４は、室温のサンプリングを開始する。本実施例のガスファンヒータ２では、１５秒毎に検知部３０により検知される温度を取り込み、過去５分間の室温の時系列をメモリ４２に記憶しておく。そして、Ｓ２０において、制御部１４は、タイマ４４にカウントを開始させる。
【００２７】
Ｓ３０において、制御部１４は、室温が所定期間Ｐ１内に所定温度以上低下したか否かを判断する。本実施例では、所定期間Ｐ１は５分に設定されている。Ｓ３０における判断は、メモリ４２に記憶されている室温の時系列に基づいて行う。具体的には、メモリ４２に記憶されている最新の室温が、その５分前の室温から所定の温度幅（例えば３℃）を引いた温度以下である場合に、制御部１４は、室温が所定温度以上低下したと判断する。肯定判断される場合（Ｓ３０でＹＥＳ）にはＳ１００へ進み、否定判断される場合（Ｓ３０でＮＯ）にはＳ４０へ進む。
【００２８】
Ｓ３０において否定判断される場合、Ｓ４０において、制御部１４は、タイマ４４のカウント開始から所定期間Ｐ２が経過したか否かを判断する。本実施例では、所定期間Ｐ２は１時間に設定されている。肯定判断される場合（Ｓ４０でＹＥＳ）にはＳ５０へ進み、否定判断される場合（Ｓ４０でＮＯ）にはＳ３０へ戻る。
【００２９】
Ｓ５０において、制御部１４は、タイマ４４のカウントをリセットする。次いで、Ｓ６０において、制御部１４は、ユーザに対する所定の報知を報知部５０に実行させる。本実施例では、所定の報知は、ユーザに対して操作部１７へのユーザ操作の実行を促す報知である。具体的には、制御部１４は、ユーザにガスファンヒータ２の運転を継続させる操作を促す延長ランプ５２を点灯させる。なお、Ｓ６０では、制御部１４は、ユーザに対する所定の報知を実行するのみであり、ガスファンヒータ２の運転はそのまま継続する。
【００３０】
Ｓ７０において、制御部１４は、ユーザに対する所定の報知を実行してから所定期間Ｐ３内にユーザ操作を受け付けたか否かを判断する。具体的には、制御部１４は、延長スイッチ４１に対する操作入力を受け付けたか否かを判断する。本実施例では、所定期間Ｐ３は、５分に設定されている。肯定判断される場合（Ｓ７０でＹＥＳ）にはＳ１００へ進み、否定判断される場合（Ｓ７０でＮＯ）にはＳ８０へ進む。
【００３１】
Ｓ８０において、制御部１４は、ガスファンヒータ２の運転を停止する。次いで、Ｓ９０において、制御部１４は送信部６０に、ガスファンヒータ２の動作情報を端末装置２００に送信させる。動作情報は、バーナ１０の動作状態を示す情報である。Ｓ９０では、制御部１４は送信部６０に、バーナ１０が自動で消火されたことを示す動作情報を端末装置２００に送信させる。これにより、端末装置２００のユーザは、ガスファンヒータ２の運転が自動で停止されたことを知ることができる。
【００３２】
一方、Ｓ３０、Ｓ７０において肯定判断される場合、Ｓ１００において、制御部１４は、タイマ４４のカウントをリセットしてＳ２０へ戻る。なお、Ｓ１００では、タイマ４４のカウントをリセットするのみであり、ガスファンヒータ２の運転はそのまま継続する。
【００３３】
本実施例のガスファンヒータ２によれば、制御部１４は、ガスファンヒータ２の運転中において、所定期間Ｐ１内に室温が所定温度以上低下した場合（Ｓ３０でＹＥＳ）には、ユーザが室内に存在すると判断してガスファンヒータ２の運転を継続させる。一方で、制御部１４は、所定期間Ｐ１内に室温が所定温度以上低下しない状態（Ｓ３０でＮＯ）が所定期間Ｐ２継続する場合（Ｓ４０でＹＥＳ）には、人が室内に存在しないと判断して、ユーザに対して所定の報知を実行させる。室温の低下は、人によって扉や窓の開閉等がされることにより寒冷な外気が室内に流入した場合に生じると予想できる。このため、室温の低下を検知することによって、人の在室状況を判断することができる。このような構成とすることで、人体検出用のセンサを別途設けることなく、人の在室状況を検知することができる。また、制御部１４は、人が室内に存在しないと判断する場合には、ユーザに対する所定の報知を実行させる（Ｓ６０）ことで、ユーザに対する注意喚起を行うことができる。
【００３４】
また、制御部１４は、所定の報知（すなわち、延長ランプ５２の点灯）を実行した後、延長スイッチ４１に対するユーザ操作が実行されない状態が所定期間Ｐ３継続した場合（Ｓ７０でＮＯ）には、ガスファンヒータ２の運転を停止させる（Ｓ８０）。このような構成によれば、所定の報知を実行した後に、ユーザ操作を受け付ける待機時間を設けることで、人の在室状況をより正確に検知することができる。また、延長ランプ５２の点灯を確認したユーザによって延長スイッチ４１に対するユーザ操作が行われた場合（Ｓ７０でＹＥＳ）には、制御部１４は、室内に人が存在すると判断して、ガスファンヒータ２の運転を停止せずに室内の暖房を継続することができる。また、延長ランプ５２を点灯してからも、人がなお室内に存在しないと判断される場合（すなわち、所定期間Ｐ３内にユーザ操作を受け付けない場合）には、ガスファンヒータ２の運転を停止することで、安全性を確保することができる。
【００３５】
また、制御部１４は、ガスファンヒータ２の運転を停止させた場合、端末装置２００に対してガスファンヒータ２の動作情報を送信させる（Ｓ１００）。すなわち、制御部１４は、バーナ１０が自動で消火されたことを示す動作情報を端末装置２００に送信させる。このような構成によれば、端末装置２００のユーザは、ガスファンヒータ２が自動で運転を停止したことを知ることができる。また、当該動作情報を受信したときには、ガスファンヒータ２の運転が既に停止されているため、その後、端末装置２００のユーザがガスファンヒータ２に対する消火操作を実行する必要がないため、ユーザの利便性が向上する。
【００３６】
なお、Ｓ３０における室温が所定温度以上低下したか否かの判断は、他の手法によって判断することもできる。例えば、ガスファンヒータ２が運転を開始してある程度の時間が経過した後は、室内の空気は暖房目標温度まで暖められている。従って、ガスファンヒータ２が運転を開始してある程度の時間が経過した後は、メモリ４２に記憶されている最新の室温（あるいは、Ｓ３０の時点において検知部３０で検出される室温）が、温度設定部３８で設定された暖房目標温度から所定の温度幅（例えば３℃）を引いた温度以下である場合に、Ｓ３０において肯定判断するように、制御部１４を構成してもよい。あるいは、ガスファンヒータ２が運転を開始した時点での室温（すなわち、まだ暖房がされておらず、室外と同程度に寒冷な室内の空気の温度）を検知部３０で検出してメモリ４２に記憶しておき、検知部３０で検出される室温がガスファンヒータ２の運転開始時の室温に所定の温度幅（例えば３℃）を加えた温度以下である場合に、Ｓ３０において肯定判断するように、制御部１４を構成してもよい。あるいは、メモリ４２に記憶された過去５分間の室温の時系列において、ある時点における室温がそれ以前の時点における室温から所定の温度幅（例えば３℃）を引いた温度以下である状況が存在する場合に、Ｓ３０において肯定判断するように、制御部１４を構成してもよい。
【００３７】
（実施例２）
本実施例では、所定の報知の態様が実施例１と異なっており、所定の報知は、ユーザに対して室内の換気を促す報知である。制御部１４は、ガスファンヒータ２が運転を開始すると、図４に示すユーザ存否検知処理を実行する。以下では、図４を参照しながら、ユーザ存否検知処理について説明する。
【００３８】
Ｓ１１０〜１５０は、それぞれ、図３のＳ１０〜Ｓ５０と同様である。Ｓ１６０において制御部１４は、ユーザに対する所定の報知を報知部５０に実行させる。本実施例では、所定の報知は、ユーザに対して室内の換気を促す報知である。具体的には、制御部１４は、ユーザに室内の換気を促す換気ランプ５４を点灯させる。なお、Ｓ１６０では、制御部１４は、ユーザに対する所定の報知を実行するのみであり、ガスファンヒータ２の運転はそのまま継続する。
【００３９】
Ｓ１７０において、制御部１４は、所定期間Ｐ４内に室温が所定温度以上低下したか否かを判断する。本実施例では、所定期間Ｐ４は、５分に設定されている。Ｓ１７０における判断の態様は、図３のＳ３０における判断の態様と同様である。肯定判断される場合（Ｓ１７０でＹＥＳ）にはＳ２００へ進み、否定判断される場合（Ｓ１７０でＮＯ）にはＳ１８０へ進む。
【００４０】
Ｓ１８０及びＳ１９０は、図３のＳ８０及びＳ９０と同様である。また、Ｓ１３０、Ｓ１７０において肯定判断される場合に進むＳ２００は、図３のＳ１００と同様である。
【００４１】
本実施例のガスファンヒータ２によれば、制御部１４は、所定の報知（すなわち、換気ランプ５４の点灯）を実行した後、室温が所定温度以上低下しない状態が所定期間Ｐ４継続した場合（Ｓ１７０でＮＯ）には、ガスファンヒータ２の運転を停止させる。換気ランプ５４の点灯を確認したユーザによって室内の換気が行われると、寒冷な外気の流入によって室内の空気の温度が低下する。したがって、このような構成によれば、所定の報知を実行した後に、室温の低下を検知するための待機時間を設けることで、人の在室状況をより正確に検知することができる。また、所定期間Ｐ４内に室温が所定温度以上低下したことを検知した場合（Ｓ１７０でＹＥＳ）には、制御部１４は、室内に人が存在すると判断して、ガスファンヒータ２の運転を停止せずに室内の暖房を継続することができる。また、換気ランプ５４を点灯してからも、人がなお室内に存在しないと判断される場合（すなわち、所定期間Ｐ４内に室温が所定温度以上低下しない場合）には、ガスファンヒータ２の運転を停止することで、安全性を確保することができる。
【００４２】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
【００４３】
送信部６０を、「報知部」として機能させてもよい。すなわち、実施例１において、制御部１４は、Ｓ６０において、端末装置２００へユーザ操作の実行を促す内容の報知を送信部６０に送信させてもよい。この場合、当該報知を受信した端末装置２００は、例えば、「延長スイッチを押して下さい」等の文字列を表示部２０２に表示させてもよい。実施例２においても同様に、制御部１４は、Ｓ１６０において、端末装置２００へ室内の換気を促す内容の報知を送信部６０に送信させてもよい。この場合、当該報知を受信した端末装置２００は、例えば、「室内を換気して下さい」等の文字列を表示部２０２に表示させてもよい。
【００４４】
実施例１において、所定の報知は、ユーザ操作の実行を促すためのメッセージ等を表示部４０に表示させる態様であってもよいし、ユーザ操作の実行を促すためのアラーム等の音を出力する態様であってもよい。実施例２においても同様である。
【００４５】
送信部６０がバーナ１０の動作情報等の情報を送信する対象は、端末装置２００のみに限られず、複数の端末装置に対して当該情報を送信するように構成してもよい。すなわち、送信部６０を、インターネット１１０を介して複数の端末装置と通信可能に構成してもよい。
【００４６】
図３のＳ７０におけるユーザ操作を受け付けたか否かの判断は、延長スイッチ４１に対する操作入力の検知に限られない。例えば、制御部１４は、ユーザによる温度設定部３８に対して暖房目標温度を設定する操作入力を受け付けた場合に、ユーザ操作を受け付けたと判断してもよい。
【００４７】
ガスファンヒータ２は、実施例１の処理（図３）と実施例２の処理（図４）の双方を実行してもよい。すなわち、図３に示す処理において、Ｓ６０及びＳ７０の処理に加えて、さらに図４のＳ１６０及びＳ１７０の処理を実行するように制御部１４を構成してもよい。この場合、Ｓ７０及びＳ１７０のいずれかで肯定判断された場合にＳ１００に進むように制御部１４を構成してもよいし、Ｓ７０とＳ１７０の双方で肯定判断された場合にＳ１００に進むように制御部１４を構成してもよい。
【００４８】
上記の実施例では、暖房装置としてガスファンヒータを例示して説明したが、これに限られない。例えば、石油ファンヒータ、ガスストーブ、石油ストーブ等であってもよいし、加熱部としてヒータエレメントを備える電気式のファンヒータであってもよい。また、端末装置は、可搬型の端末装置に限られず、ＰＣ等の据置型の端末装置であってもよい。
【００４９】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００５０】
２：ガスファンヒータ、３：暖房システム、４：給気口、６：吹出口、８：ガス供給管、１０：バーナ、１２：送風ファン、１４：制御部、１６：操作・報知・送信部、１７：操作部、１８：ケーシング、２０：内部空気通路、２２：エアフィルタ、２４：開閉弁、２６：比例弁、２８：イグナイタ、３０：検知部、３４：運転スイッチ、３６：異常報知ブザー、３８：温度設定部、４０：表示部、４１：延長スイッチ、４２：メモリ、４４：タイマ、５０：報知部、５２：延長ランプ、５４：換気ランプ、６０：送信部、１１０：インターネット、２００：端末装置、２０２：表示部、２１０：端末コントローラ、２１２：メモリ、２１４：暖房アプリ
【図１】
2019007717.tif 000003
【図２】
2019007717.tif 000004
【図３】
2019007717.tif 000005
【図４】
2019007717.tif 000006